(57)【要約】【課題】  ＦＳ動作で補正する際に音声ノイズが発生しないようにＡＤＴＳフレームに位相を合わせて補正する。【解決手段】  音声ＦＳ回路において、ＭＰＥＧ  ＡＡＣで符号化された圧縮信号を復号するＡＡＣデコーダ回路３と、ＡＡＣデコーダ回路３から出力されたベースバンド音声信号の符号化又は復号化する際の単位ごとの先頭位置を示すＡＤＴＳシンクフラグを出力するＡＤＴＳシンク出力回路４と、ＡＡＣデコーダ回路３において圧縮信号から抽出した符号化をする際に必要な情報である符号化情報を出力する符号出力回路２と、基準クロック信号から基準ＡＤＴＳフレームシンク信号を生成する基準ＡＤＴＳシンク生成回路５と、ベースバンド音声信号をＡＤＴＳフレームに同期させて出力されるＦＳベースバンド音声信号を出力するＡＤＴＳフレーム音声ＦＳ回路６と、符号化情報とＦＳベースバンド音声信号とを受けて再符号化するＡＣ再エンコーダ回路７と、を備える。【選択図】  図１
2005283834.tif 000002
【特許請求の範囲】
【請求項１】
圧縮された音声信号を復号化して生成されたベースバンド音声信号を基準クロック信号に同期させて、ＦＳベースバンド音声信号として出力するＡＤＴＳフレーム音声ＦＳ回路において、
前記ベースバンド音声信号を符号化した際の単位の先頭を示す信号であるＡＤＴＳシンク信号と前記基準クロック信号に基づいて生成される基準ＡＤＴＳシンク信号とがずれたとき、ずれが生じたと判断し、当該ずれが所定値以上である場合、複数回のタイミングで前記ずれをなくした上で前記ＦＳベースバンド音声信号を出力することを特徴とするＡＤＴＳフレーム音声ＦＳ回路。
【請求項２】
入力信号を圧縮する回路であるＡＡＣ再エンコーダ回路において、
請求項１記載のＡＤＴＳフレーム音声ＦＳ回路に接続され、前記圧縮の際に必要な情報である符号化パラメータとして、ＡＡＣデコーダ回路から出力される符号化情報を用いて圧縮することを特徴とするＡＡＣ再エンコーダ回路。  
【請求項３】
ＡＤＴＳフレームに同期させる音声ＦＳ回路は、
ＭＰＥＧ  ＡＡＣで符号化された圧縮信号を復号するＡＡＣデコーダ回路と、
当該ＡＡＣデコーダ回路から出力されたベースバンド音声信号の符号化又は復号化する際の単位ごとの先頭位置を示すＡＤＴＳシンクフラグを出力するＡＤＴＳシンク出力回路と、
当該ＡＡＣデコーダ回路において前記圧縮信号から抽出した符号化をする際に必要な情報である符号化情報を出力する符号出力回路と、
基準クロック信号から基準ＡＤＴＳシンク信号を生成する基準ＡＤＴＳシンク生成回路と、
前記ベースバンド音声信号を前記基準ＡＤＴＳシンクに同期させてＦＳベースバンド音声信号を出力するＡＤＴＳフレーム音声ＦＳ回路と、
前記符号化情報と前記ＦＳベースバンド音声信号とを受けて再符号化するＡＡＣ再エンコーダ回路と、を備えることを特徴とする音声ＦＳ回路。
【請求項４】
前記ＡＤＴＳフレーム音声ＦＳ回路は、前記ＡＤＴＳシンク信号と前記基準ＡＤＴＳシンク信号とが所定値以上ずれたとき、前記ＡＤＴＳフレームと前記ベースバンド音声信号とがずれたと判断し、当該ずれを補正することで前記同期を行なわせることを特徴とする請求項３記載の音声ＦＳ回路。
【請求項５】
前記ずれを補正する単位は、前記ＡＤＴＳフレームより小さい単位であることを特徴とする請求項４記載の音声ＦＳ回路。
【請求項６】
複数回に分けて補正されることを特徴とする請求項３から５のいずれか１項記載の音声ＦＳ回路。
【発明の詳細な説明】
【技術分野】
【０００１】
本発明は、ＡＤＴＳフレーム音声ＦＳ回路、ＡＡＣ再エンコーダ回路及び音声ＦＳ回路に関し、特に、ＡＤＴＳフレームに相当する単位を維持するようにＦＳ動作をするＡＤＴＳフレーム音声ＦＳ回路、ＡＡＣ再エンコーダ回路及び音声ＦＳ回路に関する。
【背景技術】
【０００２】
従来、ベースバンド音声のＦＳ（Frame Synchronizer）回路は、１サンプルごとをはじめ、符号化する単位を考慮しないサンプル数で同期する同期回路であった。
【０００３】
特許文献１には、入力された画像情報をビデオエンコーダによってエンコードしたビデオビットストリームと入力された音声情報をオーディオエンコーダによってエンコードしたオーディオビットストリームとをシステムエンコーダにおいて同期させつつ多重化されたビットストリームを生成する多重化同期方法において、少なくともビデオエンコーダまたはオーディオエンコーダのいずれか一方は、システムビットストリームの生成に必要な同期用補助情報をシステムエンコーダに送出し、システムエンコーダは、同期用補助情報を使ってビットストリームを生成する多重化同期方法について記載されている。
【０００４】
特許文献２には、システム制御部の制御に基づき、入力映像音声信号をエンコーダ部で圧縮符号化し、圧縮符号化された符号化データをデコーダ部で復号化し、デコーダ部により復号された再生映像音声信号を、映像信号生成部で表示手段に表示可能な信号に生成して外部に出力するとともに、再生映像音声信号をエンコーダ部に供給してなる再符号化装置において、デコーダ部には、再生映像音声信号にエンコーダ部を制御するエンコーダ部制御コマンドを多重する手段を、エンコーダ部には、入力映像音声信号に多重されたエンコーダ部制御コマンドを分離し、エンコーダ部制御コマンドを用いて入力映像音声信号を圧縮符号化する手段を、映像信号生成部には、再生映像音声信号に多重された前記エンコーダ部制御コマンドをマスクし外部に出力する手段を備えてなる再符号化装置が記載されている。
【特許文献１】特開２００３−２７４３６２号公報
【特許文献２】特開平１１−２３９３２６号公報
【発明の開示】
【発明が解決しようとする課題】
【０００５】
しかしながら、上記の従来技術では、前段の音声符号化情報を用いて再符号化を行なう装置において、ベースバンド音声と前段の音声符号化情報の位相がずれるために利用できず、音声劣化をまねいていた。
【０００６】
また、仮にＦＳ動作で補正するデータ数を音声符号化単位にしたとしても、一度に補正するデータ数が大きいため、音声ノイズが発生していた。
【０００７】
そこで、本発明は、音声符号化された際のＡＤＴＳフレームに相当する単位を維持するようにＦＳを行い、かつ、ＦＳ動作で補正する際に音声ノイズが発生しないように補正することを課題とする。
【課題を解決するための手段】
【０００８】
本発明は、上記課題を解決するための手段として、圧縮された音声信号を復号化して生成されたベースバンド音声信号を基準クロック信号に同期させて、ＦＳベースバンド音声信号として出力するＡＤＴＳフレーム音声ＦＳ回路において、前記ベースバンド音声信号を符号化した際の単位の先頭を示す信号であるＡＤＴＳシンク信号と前記基準クロック信号に基づいて生成される基準ＡＤＴＳシンク信号とが所定値以上ずれたとき、ずれが生じたと判断し、複数回のタイミングで前記１ＡＤＴＳ分に相当するサンプル数のずれをなくした上で前記ＦＳベースバンド音声信号を出力することを特徴とする。
【０００９】
また、本発明は、デコードしたベースバンド音声信号を圧縮する回路であるＡＡＣ再エンコーダ回路において、請求項１記載のＡＤＴＳフレーム音声ＦＳ回路に接続され、前記圧縮の際に必要な情報である符号化パラメータとして、ＡＡＣデコーダ回路から出力される符号化情報を用いて圧縮することを特徴とする。
【００１０】
また、本発明によるＡＤＴＳフレームに同期させる音声ＦＳ回路は、ＭＰＥＧ  ＡＡＣで符号化された圧縮信号を復号するＡＡＣデコーダ回路と、当該ＡＡＣデコーダ回路から出力されたベースバンド音声信号の符号化又は復号化する際の単位ごとの先頭位置を示すＡＤＴＳシンクフラグを出力するＡＤＴＳシンク出力回路と、当該ＡＡＣデコーダ回路において前記圧縮信号から抽出した符号化をする際に必要な情報である符号化情報を出力する符号出力回路と、基準クロック信号から基準ＡＤＴＳシンク信号を生成する基準ＡＤＴＳシンク生成回路と、前記ベースバンド音声信号を前記基準ＡＤＴＳシンクに同期させてＦＳベースバンド音声信号を出力するＡＤＴＳフレーム音声ＦＳ回路と、前記符号化情報と前記ＦＳベースバンド音声信号とを受けて再符号化するＡＡＣ再エンコーダ回路と、を備えることを特徴とする。
【００１１】
また、本発明は、前記ＡＤＴＳフレーム音声ＦＳ回路において、前記ＡＤＴＳシンク信号と前記基準ＡＤＴＳシンク信号とが所定値以上ずれたとき、前記ＡＤＴＳフレームと前記ベースバンド音声信号とがずれたと判断し、当該ずれを補正することで前記同期を行なわせることを特徴とする。
【００１２】
また、本発明は、前記ずれを１回あたりに補正する単位は、前記ＡＤＴＳフレームより小さい単位であることを特徴とする。
【００１３】
また、本発明は、複数回に分けて補正されることを特徴とする。  
【発明の効果】
【００１４】
本発明によれば、ＡＤＴＳフレームに同期した音声ＦＳを行なうことにより、ＦＳ後も音声デコーダにて抽出された符号化情報と、ベースバンド音声信号との位相を合わせているため、圧縮信号を復号して生成されたベースバンド信号を再符号化する際、符号化の際に必要な符号化パラメータに、デコーダ回路にて抽出された符号化情報を使って再符号できるため、再符号による音声劣化を抑えることができる。
【００１５】
本発明によれば、１ＡＤＴＳ分に相当するのベースバンド音声データの補正において、１回あたりの補正サンプル数を制限し、複数回に分けるため、ＡＤＴＳ単位のＦＳ時の音声ノイズを低減できる。
【発明を実施するための最良の形態】
【００１６】
以下、添付図面を参照して本発明を実施するための最良の実施の形態を説明する。
【００１７】
図１は、本発明の第１の実施の形態の構成を示すブロック図である。
【００１８】
図１に示すように、本実施の形態の音声ＦＳ回路は、符号出力機能付きＡＡＣ（Advanced Audio Coding）デコーダ回路１と、基準ＡＤＴＳ（Audio Data Transport Stream）シンク生成回路５と、ＡＤＴＳフレーム音声ＦＳ回路６と、ＡＡＣ再エンコーダ回路７と、を備えている。
【００１９】
また、符号出力機能付きＡＡＣデコーダ回路１は、ＡＡＣデコーダ回路３と、ＡＤＴＳシンク出力回路４と、符号出力回路３２と、を備えている。
【００２０】
ＡＡＣデコーダ回路３は、ＭＰＥＧ（Moving Picture Expert groups）ＡＡＣで符号化された圧縮信号を受けて復号を行い、ベースバンド音声信号を出力する。
【００２１】
ＡＤＴＳシンク出力回路４は、ベースバンド音声信号の符号化又は復号化をする際のフレーム（１０２４サンプル）の先頭を示すＡＤＴＳシンク信号を出力する。
【００２２】
符号出力回路２は、圧縮信号から抽出した符号化情報を出力する。
【００２３】
基準ＡＤＴＳシンク生成回路５は、基準クロック信号を基づいて基準ＡＤＴＳシンク信号を出力する。
【００２４】
ＡＤＴＳフレーム音声ＦＳ回路６は、ベースバンド音声信号とＡＤＴＳシンク信号と基準ＡＤＴＳシンク信号を受けて、ＡＤＴＳフレームに同期した音声ＦＳ動作を行い、ＡＤＴＳフレーム音声ＦＳ動作後のベースバンド音声信号であるＦＳベースバンド信号とＦＳ補正信号を出力する。
【００２５】
ＡＡＣ再エンコーダ回路７は、符号化情報とＦＳベースバンド音声信号とＦＳ補正信号を受けて再符号化を行い、再圧縮信号を出力する。
【００２６】
図２は、符号出力機能付きＡＡＣデコーダ回路１の出力信号の波形を示すタイミングチャートである。
【００２７】
ＡＡＣデコーダ回路３は、ＭＰＥＧ  ＡＡＣで符号化された圧縮信号を受けて、図２（ａ）に示すベースバンド音声信号を出力する。
【００２８】
ＡＤＴＳシンク出力回路４は、ベースバンド音声信号に同期した符号化フレームの先頭を示す、図２（ｃ）に示すＡＤＴＳシンク信号を出力する。
【００２９】
符号出力回路４２は、ベースバンド音声信号に同期した、図２（ｂ）に示す符号化情報を出力する。この符号化情報は１０２４サンプル単位とする。
【００３０】
図３は、ＡＤＴＳフレーム音声ＦＳ回路６に入力する基準信号の波形を示すタイミングチャートである。
【００３１】
基準ＡＤＴＳシンク生成回路５は、図３（ａ）に示す基準クロック信号を基に、図３（ｂ）に示す基準ＡＤＴＳシンク信号を出力する。
【００３２】
図４は、補正処理を説明するためのタイミングチャートである。
【００３３】
以下では、デコードクロックより駆動基準クロックの方が遅く（周波数が低く）基準ＡＤＴＳシンク信号がＡＤＴＳシンク信号より遅れたときの補正動作について説明する。
【００３４】
ＡＤＴＳフレーム音声回路６は、入力されたＡＤＴＳシンク信号と基準ＡＤＴＳシンク信号の位相差があらかじめ設定した閾値以上になると、補正処理に入る。
【００３５】
図４において、時刻Ｔ１が補正処理に入るタイミングに相当し、これ以降の補正動作中、ＡＡＣ再エンコーダ回路７では符号化情報を利用することができない。
【００３６】
補正処理では、一回あたりの補正量を音声ノイズが発生しないｍ（自然数）サンプル程度とし、これをｎ（自然数）回繰り返し、最終的な補正量ｍ×ｎが音声符号化された際のＡＤＴＳフレーム１０２４サンプル相当となるように行なう。
【００３７】
図４中の時刻Ｔ２は、１０２４サンプル分の補正が完了した時刻を示し、これ以降は符号化情報との位相が一致するため、ＡＡＣ再エンコーダ回路７において、再び符号化情報を利用することが可能となる。
【００３８】
同時に、データを減らす補正を行なったことを示すＦＳ補正信号をＡＡＣ再エンコーダ回路７に出力する。
【００３９】
逆に、デコードクロックより基準クロックの方が早く（周波数が高く）、基準ＡＤＴＳシンク信号がＡＤＴＳシンク信号より早い場合、データを増やす補正を行なったことを示すＦＳ補正信号を出力する。
【００４０】
ＡＡＣ再エンコーダ回路７は、データを減らす補正を行なったことを示すＦＳ補正信号を受け取ると、符号化情報を１フレーム分廃棄する。
【００４１】
また、ＡＡＣ再エンコーダ回路７は、データを増やす補正を行なったことを示すＦＳ補正信号を受けると、符号化情報を１フレーム分繰り返して使用し、再符号化する。
【００４２】
上記の実施の形態では、ｍ×ｎが１０２４サンプル相当となるように行なっているが、本発明ではこの方法にとらわれることはなく、ｍ×ｎ＋ｌが１０２４サンプル相当となるように行なってもよい。
【００４３】
図５は、従来技術と本発明との差異を説明するためのチャートである。
【００４４】
Ｔ３は、ＦＳの書き込み系と読み出し系との位相が１サンプルずれた時刻を示し、Ｔ１はＦＳの書き込み系と読み出し系の位相が１０２４サンプル分ずれた時刻を示し、時刻Ｔ４はＦＳの書き込み系と読み出し系の位相が再び１サンプルずれた時刻を示し、時刻Ｔ２は本発明による音声ＦＳ回路が補正動作を終了する時刻を示す。
【００４５】
図５に示すように、従来技術では、１サンプルずれた時刻Ｔ３で１サンプルの補正を行なうため、これ以降１ＡＤＴＳ相当の１０２４サンプルのずれが生じる時刻Ｔ１まで、符号化情報を使用できない。
【００４６】
一方、本願で提案するＦＳ回路では、１０２４サンプル（概念的）ずれたところで補正をかけるため、符号化情報を使用できない時間帯が短い。
【図面の簡単な説明】
【００４７】
【図１】本発明の第１の実施の形態の構成を示すブロック図である。
【図２】符号出力機能付きＡＡＣデコーダ回路１の出力信号の波形を示すタイミングチャートである。
【図３】ＡＤＴＳフレーム音声ＦＳ回路６に入力する基準信号の波形を示すタイミングチャートである。
【図４】補正処理を説明するためのタイミングチャートである。
【図５】従来技術と本発明との差異を説明するためのチャートである。
【符号の説明】
【００４８】
１  符号出力機能付きＡＡＣデコーダ回路
２  符号出力回路
３  ＡＡＣデコーダ回路
４  ＡＤＴＳシンク出力回路
５  基準ＡＤＴＳシンク生成回路
６  ＡＤＴＳフレーム音声ＦＳ回路
７  ＡＡＣ再エンコーダ回路
【図１】
2005283834.tif 000003
【図２】
2005283834.tif 000004
【図３】
2005283834.tif 000005
【図４】
2005283834.tif 000006
【図５】
2005283834.tif 000007